(57)【要約】【課題】剛性を有するヘッドを簡易に構成できるとともに、ヘッドを支持するフレームに対して簡単に取り付け取り外しを行うことができる電子打楽器を提供する。【解決手段】電子打楽器１００は、板状のヘッド１０１とヘッド１０１を支持するフレーム１０４とを備えている。フレーム１０４は、異形の五角形状に形成されており、内側面に第１保持溝１０５および第２保持溝１０６が形成されている。第１保持溝１０５は、方形状に窪んだ溝形状がフレーム１０４の内側面に環状に形成されてヘッド１０１が嵌め込まれる。第２保持溝１０６は、ヘッド１０１を第１保持溝１０５内に嵌め込むための部分であり、方形状に窪んだ溝形状が第１保持溝１０５に隣接した位置に同第１保持溝１０５に沿って連通した状態でフレーム１０４の内側面の周方向に沿って延びて環状に形成されている。ヘッド固定体１０７は、第２保持溝１０６内に嵌め込まれる弾性体で構成されている。【選択図】  図１２
2018112601.tif 000002
【特許請求の範囲】
【請求項１】
演奏者によって叩かれる打面を構成する板状のヘッドと、
前記ヘッドの外縁部を囲む環状の枠状に形成されて前記ヘッドを前記外縁部を介して保持するフレームと、
前記ヘッドの叩打による振動および圧力のうちの少なくとも一方を検出して電気信号を出力する叩打センサとを備えた電子打楽器であって、
前記フレームは、
同フレームの内側面に溝状に形成されて前記ヘッドの前記外縁部が嵌め込まれて前記ヘッドを保持する第１保持溝と、
前記第１保持溝に隣接した位置に同第１保持溝に沿って連通して形成されて同第１保持溝よりも深い深さの溝状に形成された第２保持溝とを備えることを特徴とする電子打楽器。
【請求項２】
請求項１に記載した電子打楽器において、さらに、
前記第２保持溝に嵌め込まれて前記第１保持溝内に配置された前記ヘッドの前記外縁部を押圧するヘッド固定体を備えることを特徴とする電子打楽器。
【請求項３】
請求項２に記載した電子打楽器において、
前記第１保持溝は、
前記ヘッドの外縁部の厚さよりも薄い厚さで形成されていることを特徴とする電子打楽器。
【請求項４】
請求項１ないし請求項３のうちのいずれか１つに記載した電子打楽器において、
前記第１保持溝は、
前記フレームの内側面の両端部のうちの少なくとも一方の端部に隣接して形成されており、
前記第２保持溝は、
前記第１保持溝に対して前記フレームの内側面における前記一方の端部とは反対側に形成されていることを特徴とする電子打楽器。
【請求項５】
請求項４に記載した電子打楽器において、
前記フレームは、
前記第１保持溝が隣接する前記一方の端部が前記環状に形成された前記フレームの内側に向かって厚さが薄く形成されていることを特徴とする電子打楽器。
【請求項６】
請求項１ないし請求項５のうちのいずれか１つに記載した電子打楽器において、さらに、
前記第１保持溝内における前記ヘッドと前記フレームとの間に弾性体からなる緩衝体が設けられていることを特徴とする電子打楽器。
【発明の詳細な説明】
【技術分野】
【０００１】
本発明は、手やスティックなどで叩かれた打面の振動や圧力変化を検出して電子的な楽音を発生させる電子打楽器に関する。
【背景技術】
【０００２】
従来から、手やスティックなどで叩かれた打面の衝撃を検出して電子的な楽音を発生させる電子打楽器がある。例えば、下記特許文献１には、手などで叩かれる打面を構成するドラムヘッド部（ヘッド）が剛性を有すると思われる薄板部材で構成されてボトムケース（フレーム）に対してネジ止めによって固定された電子ドラム（電子打楽器）が開示されている。
【先行技術文献】
【特許文献】
【０００３】
【特許文献１】特開２０１０−２２４３３０号公報
【０００４】
しかしながら、上記特許文献１に記載された電子ドラム型の電子打楽器においては、ヘッドであるドラムヘッド部がフレームであるボトムケースに対してネジ止めによって固定されているため、ドラムヘッド部の形状、構造および機構が複雑化するとともにボトムケースに対するドラムヘッド部の組付け作業およびメンテナンス時の取り外し作業が煩雑化するという問題がある。
【０００５】
本発明は上記問題に対処するためなされたもので、その目的は、剛性を有するヘッドを簡易に構成できるとともに、ヘッドを支持するフレームに対して簡単に取り付け取り外しを行うことができる電子打楽器を提供することにある。
【発明の概要】
【０００６】
上記目的を達成するため、本発明の特徴は、演奏者によって叩かれる打面を構成する板状のヘッドと、ヘッドの外縁部を囲む環状の枠状に形成されてヘッドを外縁部を介して保持するフレームと、ヘッドの叩打による振動および圧力のうちの少なくとも一方を検出して電気信号を出力する叩打センサとを備えた電子打楽器であって、フレームは、同フレームの内側面に溝状に形成されてヘッドの外縁部が嵌め込まれてヘッドを保持する第１保持溝と、第１保持溝に隣接した位置に同第１保持溝に沿って連通して形成されて同第１保持溝よりも深い深さの溝状に形成された第２保持溝とを備えることにある。
【０００７】
このように構成した本発明の特徴によれば、電子打楽器は、フレームの内側面にヘッドの外縁部が挿し込まれてヘッドを保持する溝状の第１保持溝を有するとともに、この第１保持溝に連通した状態で第１保持溝よりも深い深さの第２保持溝が形成されているため、剛性を有するヘッドを単純な板状に形成できるとともに、第１保持溝に対してヘッドを第２保持溝を介して簡単に取り付けまたは取り外しを行うことができる。
【０００８】
また、本発明の他の特徴は、前記電子打楽器において、さらに、第２保持溝に嵌め込まれて第１保持溝内に配置されたヘッドの外縁部を押圧するヘッド固定体を備えることにある。
【０００９】
このように構成した本発明の他の特徴によれば、電子打楽器は、第２保持溝内に弾性体からなるヘッド固定体を備えているため、第１保持溝内に嵌め込まれたヘッドを押圧して第１保持溝内から脱落することを効果的に防止することができる。
【００１０】
また、本発明の他の特徴は、前記電子打楽器において、第１保持溝は、ヘッドの外縁部の厚さよりも薄い厚さで形成されていることにある。
【００１１】
このように構成した本発明の他の特徴によれば、電子打楽器は、第１保持溝がヘッドの外縁部の厚さよりも薄い厚さ（溝幅）で形成されているため、ヘッドにおける第２保持溝側が第２保持溝内に張り出してヘッド固定体に押し付けられる。このため、電子打楽器は、より安定した状態でヘッドを保持することができる。
【００１２】
また、本発明の他の特徴は、前記電子打楽器において、電子打楽器において、第１保持溝は、フレームの内側面の両端部のうちの少なくとも一方の端部に隣接して形成されており、第２保持溝は、第１保持溝に対してフレームの内側面における一方の端部とは反対側に形成されていることにある。
【００１３】
このように構成した本発明の他の特徴によれば、電子打楽器は、第１保持溝がフレームの内側面における少なくとも一方の端部に隣接して形成されているとともに、第２保持溝が第１保持溝に対して前記一方の端部とは反対側に形成されているため、ヘッドをフレームの端部近傍に配置することができヘッドを叩打し易くすることができるとともにヘッドとフレームとの見た目の一体感を向上させることができる。
【００１４】
また、本発明の他の特徴は、前記電子打楽器において、フレームは、第１保持溝が隣接する前記一方の端部が環状に形成されたフレームの内側に向かって厚さが薄く形成されていることにある。
【００１５】
このように構成した本発明の他の特徴によれば、電子打楽器は、フレームにおける第１保持溝が隣接する一方の端部が環状に形成されたフレームの内側に向かって厚さが薄く形成されているため、叩打によって振動するヘッドの外縁部をフレームの端部が弾性的に支持して両者間での異音の発生を抑えることができる。
【００１６】
また、本発明の他の特徴は、前記電子打楽器において、さらに、第１保持溝内におけるヘッドとフレームとの間に弾性体からなる緩衝体が設けられていることにある。
【００１７】
このように構成した本発明の他の特徴によれば、電子打楽器において、第１保持溝内におけるヘッドとフレームとの間に弾性体からなる緩衝体が設けられているため、叩打によって振動するヘッドの外縁部が第１保持溝の内壁面に直接接触することを防止して両者間での異音の発生を抑えることができる。
【図面の簡単な説明】
【００１８】
【図１】本発明の一実施形態に係る電子打楽器の表側の外観構成の概略を示す斜視図である。
【図２】図１に示す電子打楽器の裏側の外観構成の概略を示す斜視図である。
【図３】図１に示す電子打楽器の裏側の外観構成の概略を示す底面図である。
【図４】図１に示す電子打楽器を構成するヘッドの外観構成の概略を示す斜視図である。
【図５】図３に示す５−５線から見た電子打楽器の内側の構成の概略を示す断面図である。
【図６】図３に示す６−６線から見た電子打楽器の内側の構成の概略を示す断面図である。
【図７】図３に示す７−７線から見た電子打楽器におけるフレームの内部構成の概略を示す断面図である。
【図８】図１に示す電子打楽器においてヘッドをフレームに取り付ける作業工程の一工程を模式的に示す断面図である。
【図９】図１に示す電子打楽器においてヘッドをフレームに取り付ける作業工程の他の一工程を模式的に示す断面図である。
【図１０】図１に示す電子打楽器においてヘッドをフレームに取り付ける作業工程の他の一工程を模式的に示す断面図である。
【図１１】図１に示す電子打楽器においてヘッドをフレームに取り付ける作業工程の他の一工程を模式的に示す断面図である。
【図１２】図１に示す電子打楽器においてヘッドをフレームに取り付ける作業工程の他の一工程を模式的に示す断面図である。
【図１３】本発明の変形例に係るヘッドの外観構成の概略を示す底面図である。
【発明を実施するための形態】
【００１９】
以下、本発明に係る電子打楽器の一実施形態について図面を参照しながら説明する。図１は、本発明に係る電子打楽器１００の表側の外観構成の概略を示す斜視図である。また、図２は、図１に示す電子打楽器１００の裏側の外観構成の概略を示す斜視図である。図３は、図１に示す電子打楽器１００の裏側の外観構成の概略を示す底面図である。なお、本明細書において参照する図は、本発明の理解を容易にするために一部の構成要素を誇張して表わすなど模式的に表している。このため、各構成要素間の寸法や比率などは異なっていることがある。この電子打楽器１００は、演奏者（図示せず）の手で叩かれた打面１０１ａの衝撃を検出して電子的な楽音を発生させる電子的な楽器である。
【００２０】
（電子打楽器１００の構成）
電子打楽器１００は、ヘッド１０１を備えている。ヘッド１０１は、演奏者による叩く操作や擦る操作によって振動および弾性変形する部品であり、可撓性を有する板状の剛体で構成されている。より具体的には、ヘッド１０１は、図４に示すように、半透明な板状の樹脂材（例えば、アクリル樹脂材）を平面視で異形の五角形状（方形の１つの角部を面取りしたような形状）に形成して構成されている。本実施形態においては、ヘッド１０１は、厚さが２ｍｍ、縦横がそれぞれ３６０ｍｍの大きさに形成されている。
【００２１】
なお、ヘッド１０１の材質や形状は、本実施形態に限定されるものではなく、樹脂材（透明、半透明または不透明）以外の材料（例えば、金属材や木材など）を用いてもよいし、異形五角形以外の形状（例えば、正五角形、四角形、三角形または六角形などの多角形、円形、楕円形、または各種異形形状になど）に形成してもよい。
【００２２】
このヘッド１０１は、一方の表面が打面１０１ａを構成している。打面１０１ａは、演奏者の手やスティックによって叩かれたり擦られたりする部分であり、平面状に形成されている。この場合、打面１０１ａは、平滑な面で構成してもよいが、本実施形態においては手の平や指先で撫でた際にザラザラとした感触が得られる程度の凹凸が形成されている。また、ヘッド１０１における打面１０１ａ側の外縁部には、緩衝体１０２が設けられている。
【００２３】
緩衝体１０２は、後述する第１保持溝内でヘッド１０１の板面が第１保持溝の内壁面に直接接触することによる摩擦や異音の発生を防止するための部品であり、弾性体または軟らかい生地で構成されている。本実施形態においては、緩衝体１０２は、厚さの薄い帯状に延びる不織布で構成されている。この緩衝体１０２は、図示しない両面テープまたは接着剤によってヘッド１０１上に固着されている。
【００２４】
一方、ヘッド１０１における他方の面である打面１０１ａの裏面１０１ｂは、図５に示すように、平滑な平面状に形成されている。この裏面１０１ｂの中心部には、叩打センサ１０３が設けられている。
【００２５】
叩打センサ１０３は、ヘッド１０１の振動を検出する検出器であり、ヘッド１０１の振動に応じた電気信号を音源１１１に出力する。本実施形態においては、叩打センサ１０３は、ピエゾ素子によって構成されている。この叩打センサ１０３は、ヘッド１０１の裏面１０１ｂの中心部に図示しない両面テープや接着剤などによって固着されている。この場合、ヘッド１０１の中心部とは、ヘッド１０１における平面視での概ねの中央部分であり、厳密な意味での中心位置のみを意味するものではない。この叩打センサ１０３は、図示しない信号線を介して音源１１１に電気的に接続されている。
【００２６】
そして、ヘッド１０１は、外縁部がフレーム１０４によって支持されている。フレーム１０４は、図６および図７にそれぞれ示すように、ヘッド１０１および音源１１１をそれぞれ支持する部品であり、ヘッド１０１の外縁部に対応する環状の枠体で構成されている。より具体的には、フレーム１０４は、板状の木材をヘッド１０１の外縁部の形状に対応する異形の五角形状に組んで構成されている。この場合、フレーム１０４は、内側面の平面視での大きさがヘッド１０１の平面視での大きさよりも小さく形成されている。また、フレーム１０４は、板状体の厚さが少なくとも後述する第２保持溝１０６を形成可能な厚さに形成されるとともに、高さ（ヘッド１０１の板面に対して直交する方向の長さ）が演奏者が片手で握ることができる高さに形成されている。
【００２７】
本実施形態においては、フレーム１０４は、五角形状の各辺ごとに竹の集成材からなる板状体で構成されるとともに、互いに隣接する各辺の板状体同士が互いに接着剤で固着されて構成されている。また、フレーム１０４は、縦横の長さがそれぞれ３８０ｍｍ、厚さが１１ｍｍ、高さが４４ｍｍの大きさに形成されている。なお、フレーム１０４は、木材以外の材料、例えば、樹脂材や金属材で構成することもできる。
【００２８】
このフレーム１０４の内側面には、第１保持溝１０５、第２保持溝１０６および手掛け部１０８がそれぞれ形成されている。第１保持溝１０５は、ヘッド１０１の外縁部が嵌合する部分であり、方形状に窪んだ溝形状がフレーム１０４の内側面の周方向に沿って延びて環状に形成されている。この場合、第１保持溝１０５は、ヘッド１０１の外形よりも若干大きな形状となる深さに形成されるとともに、ヘッド１０１の外縁部の厚さよりも薄い厚さ（溝幅）に形成されている。
【００２９】
また、第１保持溝１０５は、フレーム１０４の高さ方向の両端部のうちの一方の端部１０４ａ側に隣接して形成されている。この場合、フレーム１０４における一方の端部１０４ａは、ヘッド１０１の板面に面する部分であり、先端部分に向かって厚さが薄くなるように形成されている。
【００３０】
第２保持溝１０６は、ヘッド１０１を第１保持溝１０５内に配置する際に使用される部分であり、方形状に窪んだ溝形状が第１保持溝１０５に隣接した位置に同第１保持溝１０５に沿って連通した状態でフレーム１０４の内側面の周方向に沿って延びて環状に形成されている。この場合、第２保持溝１０６は、第１保持溝１０５の深さよりも深く形成されるとともに、ヘッド１０１の外縁部の厚さよりも厚い厚さ（溝幅）に形成されている。この第２保持溝１０６の内部には、ヘッド固定体１０７が設けられている。
【００３１】
ヘッド固定体１０７は、第１保持溝１０５内に配置されたヘッド１０１の第１保持溝１０５内からの脱落を防止するための部品であり、第２保持溝１０６内に嵌め込まれる弾性体で構成されている。より具体的には、ヘッド固定体１０７は、弾性および自由に屈曲する可撓性を有した樹脂材（例えば、ウレタン樹脂材やゴム材）を第２保持溝１０６の断面形状よりも大きな断面形状でかつ第２保持溝１０６に沿って延びる紐状に形成して構成されている。すなわち、ヘッド固定体１０７は、本実施形態においては、方形の断面形状でフレーム１０４の各辺ごとの長さに対応した長さで直線状に延びる５つの紐状に形成されている。
【００３２】
手掛け部１０８は、演奏者が演奏時にフレーム１０４を把持する際に手が掛けられる部分であり、円弧状に窪んだ２つの溝形状がフレーム１０４の内側面の周方向に沿ってそれぞれ延びて環状に形成されている。この手掛け部１０８は、フレーム１０４の内側面における高さ方向の中央部から他方の端部１０４ｂ側の領域に形成されている。なお、手掛け部１０８における溝形状の数や深さは、適宜設定されるものであり、本実施形態に限定されるものではない。
【００３３】
フレーム１０４の内側には、音源支持フレーム１１０を介して音源１１１が設けられている。音源支持フレーム１１０は、フレーム１０４の内側領域で音源１１１を支持するための部品であり、フレーム１０４と同じ材料の２つの板材をフレーム１０４の対角線方向に沿って並べて架設して構成されている。
【００３４】
音源１１１は、金属製の筐体内にＣＰＵ、ＲＯＭ、ＲＡＭなどからなるマイクロコンピュータを備えて構成されており、叩打センサ１０３から出力される検出信号に基づいて楽音信号を出力する電子回路である。より具体的には、音源１１１は、ＲＯＭなどの記憶装置に予め記憶された制御プログラムを実行することによって叩打センサ１０３から出力される検出信号に基づいて楽音を表す楽音信号を生成する。
【００３５】
この音源１１１は、演奏者からの指示を入力するための操作スイッチ１１２、音源１１１の作動状態を表示する液晶パネルからなる表示装置１１３および前記楽音信号を取り出すための出力端子１１４がそれぞれ前記筐体の外表面に露出した状態で設けられている。したがって、電子打楽器１００は、演奏者の指示により演奏者の好みに応じた楽音を生成することができるとともに、出力端子１１４と図示しない外部スピーカとを電気的に接続することにより楽音を発生させることができる。
【００３６】
なお、この電子打楽器１００は、家庭用電源からの電力を導入して音源１１１に供給するための図示しない電源コードを有した電源部を備えているが、これらについては、本発明に直接関わらないため、その説明は省略する。また、本実施形態においては、電子打楽器１００は、楽音を発音させるスピーカを外部接続とする所謂外付け型に構成したが、楽音を発生させるスピーカをフレーム１０４に設けた内蔵型で構成することもできる。
【００３７】
（電子打楽器１００の製造）
次に、このように構成した電子打楽器１００の製造過程について説明する。まず、電子打楽器１００を製造する作業者は、図８に示すように、ヘッド１０１およびフレーム１０４をそれぞれ用意する。この場合、ヘッド１０１の打面１０１ａ側の外縁部には、緩衝体１０２が貼り付けられている。また、フレーム１０４には、第１保持溝１０５、第２保持溝１０６、手掛け部１０８が形成されているとともに音源支持フレーム１１０が設けられている。
【００３８】
次に、作業者は、ヘッド１０１をフレーム１０４に取り付ける。具体的には、作業者は、図９および図１０にそれぞれ示すように、ヘッド１０１を撓ませながらフレーム１０４の第２保持溝１０６内にヘッド１０１の全体を一方の端部１０４ａ側から嵌め込む。この場合、第２保持溝１０６は、第１保持溝１０５よりも深い深さで形成されているため、ヘッド１０１の撓み量を小さく抑えることができる。
【００３９】
次いで、作業者は、第２保持溝１０６内に配置したヘッド１０１を第１保持溝１０５内に移動させる。具体的には、作業者は、図１１に示すように、第２保持溝１０６内に配置したヘッド１０１を第２保持溝１０６内で移動させて第１保持溝１０５に対向する位置に位置決めした後、ヘッド１０１全体を第１保持溝１０５内に移動させる。これにより、作業者は、ヘッド１０１を第１保持溝１０５内に移動させることができる。この場合、ヘッド１０１は、第１保持溝１０５の厚さ（溝幅）がヘッド１０１の板厚よりも小さいため、第２保持溝１０６側の板面全体が第２保持溝１０６側に張り出した状態で第１保持溝１０５内に配置される。
【００４０】
次に、作業者は、ヘッド１０１を第１保持溝１０５内に固定する。具体的には、作業者は、図１２に示すように、ヘッド固定体１０７を用意して第２保持溝１０６内に詰め込む。これにより、ヘッド１０１は、ヘッド固定体１０７に圧迫された状態で第１保持溝１０５内に固定される。なお、図８ないし図１２においては、音源支持フレーム１１０の図示を省略しているとともにヘッド１０１およびフレーム１０４の中間部分を省略している。
【００４１】
次に、作業者は、電子打楽器１００を構成する他の部品をヘッド１０１またはフレーム１０４に取り付けて電子打楽器１００を完成させる。具体的には、作業者は、叩打センサ１０３を用意した後、接着剤または両面テープを用いてヘッド１０１の裏面１０１ｂの中央部に叩打センサ１０３を貼り付ける。また、作業者は、音源１１１を用意した後、ネジなどの固定具を用いて音源支持フレーム１１０に音源１１１を取り付ける。この場合、作業者は、叩打センサ１０３の信号線（図示せず）を音源１１１に接続して音源支持フレーム１１０に音源１１１を取り付ける。これにより、作業者は、電子打楽器１００を完成させることができる。
【００４２】
（電子打楽器１００の使用）
このように構成した電子打楽器１００の使用について説明する。まず、演奏者は、電子打楽器１００および図示しない外部スピーカをそれぞれ用意した後、電子打楽器１００と外部スピーカとを出力端子１１４を介して電気的に接続する。次いで、演奏者は、電子打楽器１００の電源をＯＮにした後、操作スイッチ１１２を操作して音源１１１を演奏を行なえる演奏モードに設定する。これにより、音源１１１は、ヘッド１０１の振動を検出して楽音を出力する状態となる。
【００４３】
次に、演奏者は、電子打楽器１００を片手で把持またはスタンドに保持させた状態でヘッド１０１の打面１０１ａを手で叩くまたは擦って演奏を行う。これにより、電子打楽器１００のヘッド１０１は、演奏者による演奏操作に応じて振動および撓み変形する。したがって、電子打楽器１００は、ヘッド１０１の振動を叩打センサ１０３が検出して振動に応じた検出信号を音源１１１に出力する。これにより、音源１１１は、叩打センサ１０３から出力される検出信号に基づいて楽音を表す楽音信号を生成して外部スピーカに出力する。
【００４４】
この結果、電子打楽器１００は、演奏者の演奏操作に応じた楽音を外部スピーカから出力することができる。この場合、ヘッド１０１は、フレーム１０４の第１保持溝１０５内に保持されているため、第１保持溝１０５内から脱落することがない。
【００４５】
また、電子打楽器１００のメンテナンス時においては、作業者は、製造時とは逆の手順でヘッド１０１をフレーム１０４から取り外すことができる。すなわち、作業者は、音源１１１を音源支持フレーム１１０から取り外した後、第２保持溝１０６内からヘッド固定体１０７を取り外して第１保持溝１０５内のヘッド１０１を第２保持溝１０６内に移動させる。次いで、作業者は、第２保持溝１０６内のヘッド１０１を撓ませることで第２保持溝１０６内から取り出すことができる。なお、この場合、作業者は、叩打センサ１０３をヘッド１０１に付けた状態でも取り外した状態でもヘッド１０１をフレーム１０４から取り外すことができる。
【００４６】
上記作動説明からも理解できるように、上記実施形態によれば、電子打楽器１００は、フレーム１０４の内側面にヘッド１０１の外縁部が挿し込まれてヘッド１０１を保持する溝状の第１保持溝１０５を有するとともに、この第１保持溝１０５に連通した状態で第１保持溝１０５よりも深い深さの第２保持溝１０６が形成されているため、剛性を有するヘッドを単純な板状に形成できるとともに、第１保持溝１０５に対してヘッド１０１を第２保持溝１０６を介して簡単に取り付けまたは取り外しを行うことができる。
【００４７】
さらに、本発明の実施にあたっては、上記実施形態に限定されるものではなく、本発明の目的を逸脱しない限りにおいて種々の変更が可能である。なお、下記変形例において、上記実施形態と同様の構成部分については同じ符号を付して、その説明を省略する。
【００４８】
例えば、上記実施形態においては、叩打センサ１０３は、ヘッド１０１の振動を検出するように構成した。しかし、叩打センサ１０３は、ヘッド１０１の振動およびヘッド１０１からの圧力変化のうちの少なくとも一方を検出するように構成すればよい。したがって、叩打センサ１０３は、振動センサに代えてまたは加えて圧力センサで構成することができる。
【００４９】
また、上記実施形態においては、ヘッド固定体１０７を弾性体で構成した。これにより、電子打楽器１００は、ヘッド１０１を弾性的に支持することができるため、演奏者における打感をソフトにすることができるとともに過度な振動の発生を抑えることができる。しかし、ヘッド固定体１０７は、第２保持溝１０６内に配置されて第１保持溝１０５内のヘッド１０１を固定することができればよく、必ずしも上記実施形態に限定されるものではない。したがって、ヘッド固定体１０７は、剛体、より具体的には、硬質な樹脂材、木材または金属材などの材料で構成することもできる。
【００５０】
また、上記実施形態においては、ヘッド固定体１０７は、フレーム１０４の各辺ごとの長さに対応した長さで直線状に延びる紐状に形成した。しかし、ヘッド固定体１０７は、環状の第２保持溝１０６内に対応して環状に形成してもよいし、第２保持溝１０６の全長に対応した長さで直線状に延びる紐状に形成してもよい。
【００５１】
また、上記実施形態においては、第２保持溝１０６内にヘッド固定体１０７を配置した。これにより、電子打楽器１００は、ヘッド１０１を第１保持溝１０５内に安定的に保持することができるとともに、ヘッド１０１を第１保持溝１０５内から容易に取り出すことができる。しかし、電子打楽器１００は、ヘッド固定体１０７以外の手段によってヘッド１０１を第１保持溝１０５内に保持することができれば、ヘッド固定体１０７を省略して構成することができる。例えば、電子打楽器１００は、ヘッド１０１を第１保持溝１０５内に接着剤や両面テープで固定することもできる。
【００５２】
また、上記実施形態においては、電子打楽器１００は、ヘッド１０１における打面１０１ａの外縁部に緩衝体１０２を設けて構成した。これにより、電子打楽器１００は、叩打によって振動するヘッド１０１の外縁部が第１保持溝１０５の内壁面に直接接触することを防止して両者間での異音の発生を抑えることができる。この場合、緩衝体１０２は、ヘッド１０１に代えてフレーム１０４側に貼り付けても同様の作用効果を得ることができる。しかし、電子打楽器１００は、ヘッド１０１と第１保持溝１０５との間で生じる異音が問題とならなければ緩衝体１０２を省略して構成することもできる。
【００５３】
また、上記実施形態においては、電子打楽器１００は、第１保持溝１０５をフレーム１０４の内側面における一方の端部１０４ａ側に形成するとともに、第２保持溝１０６を第１保持溝１０５に対して一方の端部１０４ａ側とは反対側に形成して構成した。しかし、第１保持溝１０５は、フレーム１０４の内側面における高さ方向の中央部に設けることもできる。また、第２保持溝１０６は、一方の端部１０４ａと第１保持溝１０５との間に設けることもできる。
【００５４】
また、上記実施形態においては、フレーム１０４において、ヘッド１０１の打面１０１ａに面する一方の端部１０４ａを先端部（フレーム１０４の内側）に向かって厚さが薄くなるように形成した。これにより、電子打楽器１００は、叩打によって振動するヘッド１０１の外縁部をフレーム１０４の端部が弾性的に支持して両者間での異音の発生を抑えることができる。しかし、ヘッド１０１の打面１０１ａに面する一方の端部１０４ａを先端部（フレーム１０４の内側）に向かって厚さが一定に形成することもできる。これによれば、電子打楽器１００は、叩打によって振動するヘッド１０１の外縁部を強固に保持することができる。
【００５５】
また、上記実施形態においては、ヘッド１０１を半透明の樹脂材で構成した。このように、ヘッド１０１を半透明または透明の材料で構成した場合、電子打楽器１００の使用に際して半透明または透明なヘッド１０１を介してヘッド１０１の裏面１０１ｂ側に配置された音源１１１の透けて見えることがあり美観上好ましくない。したがって、ヘッド１０１を半透明または透明の材料で構成した場合、図１３に示すように、ヘッド１０１における音源１１１に対応する位置にマスク１２０を設けることができる。
【００５６】
マスク１２０は、半透明または透明なヘッド１０１を介してヘッド１０１の裏面１０１ｂ側に配置された音源１１１の透けて見えることを防止するための部品であり、ヘッド１０１の裏面１０１ｂに形成されている。このマスク１２０は、ヘッド１０１の裏面１０１ｂに対して塗装や印刷（例えば、シルク印刷やインクジェット印刷）による塗膜で構成できるとともにシート材を貼り付けて構成することもできる。また、マスク１２０の大きさは、隠す対象となる音源１１１の平面的な大きさと同じ大きさにしてもよいが、より好ましくは音源１１１の平面的な大きさよりも若干小さい大きさに形成するとよい。また、マスク１２０を印刷で形成した場合、マスク１２０の外縁部に向かって徐々に印刷濃度を薄くすることで自然な影のような外観を形成することができる。なお、マスク１２０は、ヘッド１０１の打面１０１ａおよび裏面１０１ｂのうちの少なくとも一方に形成されていればよい。
【符号の説明】
【００５７】
１００…電子打楽器、１０１…ヘッド、１０１ａ…打面、１０１ｂ…裏面、１０２…緩衝体、１０３…叩打センサ、１０４…フレーム、１０４ａ…一方の端部、１０４ｂ…他方の端部、１０５…第１保持溝、１０６…第２保持溝、１０７…ヘッド固定体、１０８…手掛け部、
１１０…音源支持フレーム、１１１…音源、１１２…操作スイッチ、１１３…表示装置、１１４…出力端子、
１２０…マスク。
【図１】
2018112601.tif 000003
【図２】
2018112601.tif 000004
【図３】
2018112601.tif 000005
【図４】
2018112601.tif 000006
【図５】
2018112601.tif 000007
【図６】
2018112601.tif 000008
【図７】
2018112601.tif 000009
【図８】
2018112601.tif 000010
【図９】
2018112601.tif 000011
【図１０】
2018112601.tif 000012
【図１１】
2018112601.tif 000013
【図１２】
2018112601.tif 000014
【図１３】
2018112601.tif 000015